(57)【要約】  【課題】使用者の状況や気分に合わせて様々な利用態様を選択することができる装飾具を提供する。  【解決手段】衣服I等の表面に表出する第１の装飾具本体１１と、この第１の装飾具本体１１を、衣服等に着脱可能とする第１の着脱手段１２とを備えた第１の装飾具要素１と、衣服I等の表面に表出する第２の装飾具本体２１と、この第２の装飾具本体２１を、衣服I等に着脱可能とする第２の着脱手段２２とを備えた第２の装飾具要素２と、当該第２の装飾具要素２を前記第１の装飾具要素１に着脱可能とする装飾具要素着脱手段とを備えた。  【選択図】図４
2005185724.tif 000002
【特許請求の範囲】
【請求項１】
衣服等の表面に表出する第１の装飾具本体と、この第１の装飾具本体を、衣服等に着脱可能とする第１の着脱手段とを備えた第１の装飾具要素と、
衣服等の表面に表出する第２の装飾具本体と、この第２の装飾具本体を、衣服等に着脱可能とする第２の着脱手段とを備えた第２の装飾具要素と、
当該第２の装飾具要素を前記第１の装飾具要素に着脱可能とする装飾具要素着脱手段とを備えたことを特徴とする装飾具。
【請求項２】
第２の着脱手段が、装飾具要素着脱手段を兼ねていることを特徴とする請求項１記載の装飾具。
【請求項３】
第１の装飾具本体または第２の装飾具本体が、家紋を表示した家紋表示部または社章を表示した社章表示部を有することを特徴とする請求項１または２記載の装飾具。
【請求項４】
第２の着脱手段を、第２の装飾具本体の裏面から突出するピン部材と、このピン部材を受けるピン受け部材とから構成すると共に、前記第１の装飾具本体に、前記第２の装飾具本体を取り付ける貫通孔を設けていることを特徴とする請求項１乃至３記載の装飾具。
【請求項５】
第２の装飾具要素を第１の装飾具要素に取り付けた状態で、第１の着脱手段と第２の着脱手段の双方が利用可能であることを特徴とする請求項１乃至４記載の装飾具。
【発明の詳細な説明】
【技術分野】
【０００１】
本発明は、衣類等に取り付けられる装飾具に関するものである。
【背景技術】
【０００２】
従来、社員の身分を明らかにするためなどに利用されるものとして、表面に社章を表示したバッジなどがある。当該社章を表示したバッジは、ピンなどを用いて衣類に着脱可能とした構成が採用されることが多い。（例えば、特許文献１参照）
【特許文献１】実開平５−４６３０６号公報(第１頁、段落番号０００４図１)
【発明の開示】
【発明が解決しようとする課題】
【０００３】
しかし、社章や徽章などを施したバッジはデザイン性に乏しく、特に女性などは装着しづらい。
【０００４】
一方、前記社章などに装飾を施しすぎると、お悔やみの席などでは付けづらいという不具合が生じてしまう。
【課題を解決するための手段】
【０００５】
そこで、本願発明における装飾具は、衣服等の表面に表出する第１の装飾具本体と、この第１の装飾具本体を、衣服等に着脱可能とする第１の着脱手段とを備えた第１の装飾具要素と、衣服等の表面に表出する第２の装飾具本体と、この第２の装飾具本体を、衣服等に着脱可能とする第２の着脱手段とを備えた第２の装飾具要素と、当該第２の装飾具要素を前記第１の装飾具要素に着脱可能とする装飾具要素着脱手段とを備えたことを特徴とする。
【０００６】
上記構成を採ることで、使用者が、装飾具の利用態様を一様に限られず、状況や気分に合わせて様々な利用態様を選択できる。つまり、第１の装飾具要素及び第２の装飾具要素を各々の着脱手段を用いて、個別に衣服に装着して利用することができる上、第２の装飾具要素を第１の装飾具要素に取り付けることで、両者を組み合わせて利用することも可能となる。
【０００７】
また、前記第２の着脱手段が装飾具要素着脱手段を兼ねる構成とすることで、部品点数を減少させ、簡易な構成とすることができる。
【０００８】
加えて、前記第１の装飾具本体または第２の装飾具本体が、家紋を表示した家紋表示部または社章を表示した社章表示部を有するものであれば更に利用価値が高まる。つまり、例えば、第１の装飾具本体を華やかなデザインとしておき、家紋等を配した第２の装飾具本体を着脱可能とすることで、華やかな席では両者を組み合わせて利用する一方、お悔やみの席などでは、家紋等を配した第２の装飾具本体を単体で利用するなど、TPOに合わせた様々な利用態様を選択することができる。
【０００９】
更に、簡易な構成にて第２の装飾具要素を第１の装飾具要素に着脱可能とするためには、前記第２の着脱手段を、第２の装飾具本体の裏面から突出するピン部材と、このピン部材を受けるピン受け部材とから構成すると共に、前記第１の装飾具本体に、前記第２の装飾具本体を取り付ける貫通孔を設けていることが望ましい。
【００１０】
また、第２の装飾具要素を第１の装飾具要素に取り付けた状態で、第１の着脱手段と第２の着脱手段の双方が利用可能な構成とすることで、衣類に対して強固に装飾具を取り付けることが可能となる。
【発明の効果】
【００１１】
本願発明においては、装飾具が、衣服等の表面に表出する第１の装飾具本体と、この第１の装飾具本体を、衣服等に着脱可能とする第１の着脱手段とを備えた第１の装飾具要素と、衣服等の表面に表出する第２の装飾具本体と、この第２の装飾具本体を、衣服等に着脱可能とする第２の着脱手段とを備えた第２の装飾具要素と、当該第２の装飾具要素を前記第１の装飾具要素に着脱可能とする装飾具要素着脱手段とを備えたことを特徴とする。
【００１２】
上記構成を採ることで、装飾具の利用態様の幅を飛躍的に広げることができる。つまり、第１の装飾具要素及び第２の装飾具要素を各々の着脱手段を用いて、別々に衣服に装着して利用することができる上、第２の装飾具要素を第１の装飾具要素に取り付けることで、両者を組み合わせて利用することも可能となる。
【発明を実施するための最良の形態】
【００１３】
以下、本発明の一実施の形態を、図面を参照して説明する。
【００１４】
図１は、本実施の形態における装飾具Ａをスーツなどの衣類Iの襟に装着した状態を示す図であり、図２は、当該装飾具Ａの正面図である。
【００１５】
この冠婚葬祭用の装飾具Ａは、図４に示すように、それぞれ別体として利用可能な第1の装飾具要素１及び第２の装飾具要素２と、この第２の装飾具要素２を前記第１の装飾具要素１に着脱可能に取り付ける装飾具要素着脱手段２２とを備えている。
【００１６】
第１の装飾具要素１は、単体でも衣類Iに装着可能であるが、図２、図７に示すように、第２の装飾具要素２が取り付けられる土台とできるものであり、図５に示すように、衣服等の表面に表出する第１の装飾具本体１１と、この第１の装飾具本体１１を、衣服I等に着脱可能とする第１の着脱手段１２とを備えたものである。
【００１７】
第1の装飾具本体１１は、後述する第２の装飾具本体２１よりも衣類Iの表面に表出する面積が広い形状を成していると共に、前記第２の装飾具要素２を取り付けるための取付部１１１を有している。また、本実施の形態においては、華をモチーフとした形状を成している。
【００１８】
当該取付部１１１は、第１の装飾具本体１１の略中央に設けられており、表面から裏面側へと貫通する貫通孔１１１aと、当該貫通孔１１１aを介して取り付けられる第２の装飾具要素２を保持する保持領域１１１ｂとから構成される。
【００１９】
貫通孔１１１aは、後述する第２の装飾具要素２が有するピン部材２２１を貫通可能とするものであり、第１の装飾具本体１１の表面に対して垂直に穿孔されている。
【００２０】
保持領域１１１ｂは、第２の装飾具要素２の裏面及び側面を保持するものであり、具体的には、第１の装飾具要素１の表面を、裏面方向へ陥没させているものである。また、その陥没範囲は、第２の装飾具要素２の外形と略同様の範囲としている。
【００２１】
第１の着脱手段１２は、衣類Iに貫通される針部材１２１と、当該針部材１２１を固定する固定部材１２２とを具備してなる安全ピン式の着脱手段であり、当該針部材１２１の一方を当該固定部材１２２に対して挿脱できる構成とすることで、当該第１の装飾具要素１を衣類Iに対して着脱可能としている。また、当該第１の着脱手段１２は、第１の装飾具本体１１の裏面上方位置に設けられている。
【００２２】
当該第１の着脱手段１２を具体的に説明すると、第１の装飾具要素１を衣類Iに取り付ける際には、まず衣類Ｉの表面側から針部材１２１を貫通させる。そして、再び裏面側から針部材１２１を第１の装飾具本体１１側に貫通させ、ストッパーとなる前記固定部材１２２を用いて前記針部材１２１の先端部を衣類Ｉの表面側で受け、衣類Ｉを挟み込んだ状態でスーツ等の襟に第１の装飾具要素１を装着できるようにしている。
【００２３】
針部材１２１は、前記固定部材１２２に対して、一方を固定部材１２２に設けられた軸を介して回転可能に軸支されると共に、他方を自由端として取り付けられており、第１の装飾具本体１と反対方向に向かって開くことができるように構成されている。
【００２４】
固定部材１２２は、前記針部材１２１の先端を覆う状態で係止するフック部１２２ａと、前記針部材１２１を回転可能に軸支する回転部１２２ｂとからなる。
【００２５】
第２の装飾具要素２は、図４等に示すように、タイタック式ピンバッジであり、家紋２１１ａを表示した家紋表示部２１１を有する第２の装飾具本体２１と、この第２の装飾具本体２１をスーツなどの襟に着脱可能に装着するための第２の着脱手段２２とから構成されている。
【００２６】
以下、各構成について詳述する。
【００２７】
第２の装飾具本体２１は、衣類I等の表面に表出するものであり、直径が１８ｍｍ程度の正面視円形であると共に、表面方向に膨出した形状をなすものであり、金色の縁取り部２１２と、その縁取り部２１２の内部に設けた家紋表示部２１１とを有している。
【００２８】
縁取り部２１２は、図６に示すように、第２の装飾具本体２１の周縁箇所を円環状に縁取ったものであり、その周縁を面取りされると共に、裏面より一体に金色のメッキ加工が施されている。
【００２９】
家紋表示部２１１は、黒色の背景に縁取り部２１２と同様の金色にて家紋２１１ａを第２の装飾具本体２１の表面に表示したものであり、樹脂等にて成型された黒色の基台２１１ｂを前記縁取り部２１２内に埋没させ、その表面に金色の家紋２１１ａをプリント印刷などの適当手段を用いて描いた構成としている。尚、本実施の形態においては、家紋２１１ａを違い鷹の羽としているが、各家庭の家紋２１１ａに対応することができる。
【００３０】
第２の着脱手段２２は、前記第２の装飾具本体２１の裏面に設けられたピン部材２２１と、このピン部材２２１を受けるピン受け部材２２２とから構成されている。具体的には、まずスーツの襟に設けられたフラワーホールに襟の表面側からピン部材２２１を貫通させる。そして、ストッパーとなるピン受け部材２２２を用いて前記ピン部材２２１の先端部を襟の裏面側で受け、襟を挟み込んだ状態でスーツ等の襟に第２の装飾具要素２を装着できるようにしている。また、当該第２の着脱手段２２は、前記第１の着脱手段１２と異なる位置に配されている。つまり、第２の装飾具要素２を第１の装飾具要素１に取り付けた状態で、第１の着脱手段１２と第２の着脱手段２２の双方が利用可能な位置に設けられている。
【００３１】
このピン部材２２１は、第２の装飾具本体２１の裏面中央位置から垂直に突設されており、先端を鋭利な形状として前記フラワーホールなどの開口部がない場合であっても襟の生地を貫通して装着できるようになっている。
【００３２】
ピン受け部材２２２は、前記ピン部材２２１を受けるための受け孔２２２ａを有しており、ピン部材２２１の先端にて使用者が傷ついたり第２の装飾具本体１が取れてしまったりしないように構成している。
【００３３】
また、当該第２の着脱手段２２は、当該第２の装飾具要素２を前記第１の装飾具要素２１に着脱可能に取り付ける装飾具要素着脱手段としての機能を兼ね備えている。
【００３４】
具体的には、前記第２の装飾具本体２１の裏面に設けられたピン部材２２１を、前記第１の装飾具本体１の表面側から貫通孔１１１aを介して裏面側に貫通させる。そして、ストッパーとなるピン受け部材２２２を用いて前記ピン部材２２１の先端部を襟の裏面側で受け、第２の装着具要素２を第１の装着具要素１に取り付けることができるようにしている。
【００３５】
次に、前記第１の装飾具要素１と第２の装飾具要素２を組み合わせて衣類Iに装着する際の工程について、図７を参照して説明する。
【００３６】
まず、第１の装飾具要素１を、第１の着脱手段１２を用いて衣類Iに取り付ける。具体的には、まず衣類Ｉの表面側から針部材１２１を貫通させる。そして、再び裏面側から針部材１２１を第１の装飾具本体１１側に貫通させ、ストッパーとなる前記固定部材１２２を用いて前記針部材１２１の先端部を衣類Ｉの裏面側で受け、衣類Ｉを挟み込んだ状態でスーツ等の襟に第１の装飾具要素１を取り付ける。
【００３７】
そして、第１の装飾具要素１を取り付けた後、第２の着脱手段２２を用いて第２の装飾具要素２を第１の装飾具要素１及び衣類Iに取り付ける。具体的には、前記第２の装飾具本体２１の裏面に設けられたピン部材２２１を、前記第１の装飾具本体１の表面側から貫通孔１１１aを介して第１の装飾具本体１の裏面側に貫通させると共に、衣類Iの裏面側に貫通させる。そして、ストッパーとなるピン受け部材２２２を用いて前記ピン部材２２１の先端部を衣類Iの裏面側で受け、第２の装着具要素２及び第１の装着具要素１を衣類Iに装着する。
【００３８】
以上の構成により、装飾具Ａを一の利用態様に限らず、使用者の状況や気分に合わせて様々な利用態様を選択することが可能となる。つまり、第１の装飾具要素１及び第２の装飾具要素２を各々の着脱手段１２、２２を用いて、別々に衣服Iに装着して利用することができる上、第２の装飾具要素２を第１の装飾具要素１に取り付けることで、両者を組み合わせて利用することもできる。
【００３９】
また、前記第２の着脱手段２２が装飾具要素着脱手段を兼ねる構成とすることで、部品点数を減少させ、簡易な構成とすることができる。
【００４０】
加えて、前記第１の装飾具本体１１または第２の装飾具本体２１が、家紋２１１aを表示した家紋表示部２１１を有するものであれば更に利用価値が高まる。つまり、例えば、第１の装飾具本体１１を華やかなデザインとしておき、家紋等を配した第２の装飾具本体２１を着脱可能とすることで、華やかな席では両者を組み合わせて利用する一方、お悔やみの席などでは、家紋等を配した第２の装飾具本体２１を単体で利用するなど、TPOに合わせた様々な利用態様を選択することができる。
【００４１】
更に、前記第２の着脱手段２２を、第２の装飾具本体２１の裏面から突出するピン部材２２１と、このピン部材２２１を受けるピン受け部材２２２とから構成すると共に、前記第１の装飾具本体１１に、前記第２の装飾具本体２１を取り付ける貫通孔１１１aを設けていることで、簡易な構成にて、第２の装飾具要素２を第１の装飾具要素１に着脱可能とすることができる。
【００４２】
また、第２の装飾具要素２を第１の装飾具要素１に取り付けた状態で、第１の着脱手段１１と第２の着脱手段２１の双方が利用可能な構成とすることで、衣類Iに対して強固に装飾具Ａを取り付けることが可能となる。
【００４３】
なお、本発明における構成は、以上説明したものに限定されないのは勿論である。例えば、本実施の形態においては、第２の装飾具要素２は家紋２１１aを表示したものとしているが、家紋２１１aの代わり社章など、様々な徽章を表示するものとしても良い。更には、図８に示すように、真珠などの装飾を配したものとしても良い。
【００４４】
また、実施の形態においては、第２の装飾具要素２の例としてピンバッチを挙げたが、ねじ方式などのバッジでも良く、更にはクリップ式、安全ピン式とすることも考えられる。同様に、第１の装飾具要素１についても安全ピン式を例に挙げて説明していたが、ピンバッチや、ねじ方式などのバッジでも良く、更にはクリップ式とすることも考えられる。
【００４５】
更に、本実施の形態においては、装飾具要素着脱手段を第２の着脱手段２２と兼ねた構成としているが、各々異なる着脱手段を採用しても良い。
【００４６】
当該装飾具要素着脱手段は、ピン式などに限られず、例えば、第２の装飾具要素２の裏面を第１の装飾具要素１の表面に着脱可能に貼り合わせられる構成などにしても良い。
【図面の簡単な説明】
【００４７】
【図１】本実施の形態における装飾具Ａを衣類に装着した状態を示す正面図。
【図２】同実施の形態における装飾具の正面図。
【図３】同実施の形態における装飾具の背面図。
【図４】同実施の形態における装飾具の分解平面図。
【図５】同実施の形態における第１の装飾部要素の正面図。
【図６】同実施の形態における第２の装飾部要素の正面図。
【図７】同実施の形態における装飾具を衣類に装着した状態を示す側面図。
【図８】他の実施の形態における装飾具の正面図。
【符号の説明】
【００４８】
Ａ・・・装飾具
１・・・第１の装飾具要素
２・・・第２の装飾具要素
１１・・・第１の装飾具本体
１２・・・第１の着脱手段
２１・・・第２の装飾具本体
２２・・・装飾具要素着脱手段（第２の着脱手段）
１１１a・・・貫通孔
２１１・・・家紋表示部
２１１a・・・家紋
２２１・・・ピン部材
２２２・・・ピン受け部材
【図１】
2005185724.tif 000003
【図２】
2005185724.tif 000004
【図３】
2005185724.tif 000005
【図４】
2005185724.tif 000006
【図５】
2005185724.tif 000007
【図６】
2005185724.tif 000008
【図７】
2005185724.tif 000009
【図８】
2005185724.tif 000010